(57)【要約】【課題】  ＣＭを積極的に録画しようとする使用者に対してのみ録画開始時刻を早めたり、延長する設定を容易にできる受信番組録画装置を実現する。【解決手段】  複数のコマーシャルを含むコマーシャル情報に引き続いて放送される主番組を録画する受信番組録画装置１において、主番組の録画開始時刻、録画終了時刻及び録画したいコマーシャル選定録画開始時刻を設定する録画時間初期設定手段２２、２３１と、主番組の録画開始時刻、終了時刻、及びコマーシャル選定録画開始時刻から主番組の録画開始時刻までの設定時間を表示させる表示手段２７と、コマーシャル設定時間が所定時間以上の場合のみ、録画開始及び終了時刻、コマーシャル設定時間を表示部に表示させ、コマーシャル設定時間の変更を可能にさせる設定時間修正手段２２、２３１と、を備えている。【選択図】      図１
2006033561.tif 000002
【特許請求の範囲】
【請求項１】
複数のコマーシャルを含むコマーシャル情報に引き続いて放送される主番組の予約を行って、前記主番組と共にコマーシャル情報を録画する受信番組録画装置において、
前記主番組の録画開始時刻よりも所定時間だけ早い初期録画開始時刻を設定する録画時間初期設定手段と、
前記初期録画設定開始時刻の設定後、予約確認画面で前記初期録画設定時刻の確認を行う予約画面確認手段と、
前記所定時間が許容時間以上の場合には、番組表から得た情報により、前記予約確認画面に表示された前記初期録画開始時刻を前記コマーシャル情報のうちの録画したいコマーシャル番組の開始時刻に修正変更する設定時間修正手段と、
を備えたことを特徴とする受信番組録画装置。
【請求項２】
主番組に引き続いて放送される複数のコマーシャルを含むコマーシャル情報の予約を行って、前記主番組と共にコマーシャル情報を録画する受信番組録画装置において、
前記主番組の録画終了時刻よりも所定時間だけ遅い初期録画終了時刻を設定する録画時間初期設定手段と、
前記初期録画設定終了時刻の設定後、予約確認画面で前記初期録画設定時刻の確認を行う予約画面確認手段と、
前記所定時間が許容時間以上の場合には、番組表から得た情報により、前記予約確認画面に表示された前記初期録画終了時刻を前記コマーシャル情報のうちの録画したいコマーシャル番組の終了時刻に修正変更する設定時間修正手段と、
を備えたことを特徴とする受信番組録画装置。
【請求項３】
複数のコマーシャルを含むコマーシャル情報に引き続いて放送される主番組の予約を行って、前記主番組と共にコマーシャル情報を録画する受信番組録画装置において、
前記主番組の録画開始時刻よりも所定時間だけ早い初期録画開始時刻を設定する録画時間初期設定手段と、
前記初期録画設定開始時刻の設定後、予約確認画面で前記初期録画設定時刻の確認を行う予約画面確認手段と、
前記所定時間が許容時間未満の場合には、前記録画開始時刻から前記録画終了時刻までの録画を行わせ、前記所定時間が許容時間以上の場合で、かつ前記主番組の前に放送される主番組に含まれる音声モードと前記コマーシャル情報に含まれる音声モードとが異なる場合には、前記音声モードの異なりを検出することにより前記主番組の前に放送される主番組の終了時点から録画を開始させ録画終了時刻まで録画を行わせる録画時間制御手段と、
を備えたことを特徴とする受信番組録画装置。
【請求項４】
主番組に引き続いて放送される複数のコマーシャルを含むコマーシャル情報の予約を行って、前記主番組と共にコマーシャル情報を録画する受信番組録画装置において、
前記主番組の録画終了時刻よりも所定時間だけ遅い初期録画終了時刻を設定する録画時間初期設定手段と、
前記初期録画設定終了時刻の設定後、予約確認画面で前記初期録画設定時刻の確認を行う予約画面確認手段と、
前記所定時間が許容時間未満の場合には、前記録画開始時刻から前記録画終了時刻までの録画を行わせ、前記所定時間が許容時間以上の場合で、かつ前記主番組の後に放送される主番組に含まれる音声モードと前記コマーシャル情報に含まれる音声モードとが異なる場合には、前記録画開始時刻から録画を開始させると共に、前記音声モードの異なりを検出することにより前記主番組の後に放送される主番組の開始時点まで録画を行わせる録画時間制御手段と、
を備えたことを特徴とする受信番組録画装置。
【発明の詳細な説明】
【技術分野】
【０００１】
本発明は、番組の始まりや終わりの部分に付されるＣＭ（コマーシャル）を含めて記録する受信番組録画装置に関する。
【背景技術】
【０００２】
放送される番組の録画は、番組表などから放送時刻情報を得て録画予約しその時間帯に受信される信号を録画する。通常は、ＣＭを含んで放送される番組からＣＭ部を除いた本編部の最初から終わりまでが録画されれば、録画した番組をタイムシフトさせて視聴するために十分とされる。ＣＭ部を記録せずに番組の本編部のみを記録する、いわゆるＣＭスキップ録画機能を搭載する記録装置も出現している。
ところで、ＣＭ制作者は、如何に視聴者に喜ばれるＣＭを制作するか工夫している。評価の高いＣＭが制作されている。若年視聴者の間で話題となるＣＭも多い。仲間の間ではＣＭに関する話題も多く出されようになり、時代に遅れないためにも最新のＣＭ情報を得る必要がある。
【０００３】
最近になり、ハードディスクレコーダも出現し、録画予約がされた番組の視聴が多くなされるようになった。番組と共に録画されるＣＭは視聴者により好まれる場合、好まれない場合があり、録画予約した番組と共に記録されるＣＭも視聴者の目的に合わせてなされる必要がある。ＣＭを希望する視聴者の場合には本編部の前後に受信されるＣＭ部をも録画するのが望ましい。
特許文献１には、電子番組表を用いて録画予約するに際し録画開始時刻及び終了時刻にオフセット時間を設定して放送番組を記録するようにした録画予約管理装置が開示されている。その予約管理装置によれば、仮に放送時刻が延長される場合、延長に伴って繰り下げられる場合、編成が変更される場合などであっても、予めオフセット時刻を設定して予約するようにし、所望の番組を全て録画するなど放送時刻の変更に予め対応した録画予約を使用者が行えるようにしている。この機能を用いて本編部の前後に受信されるＣＭ部を録画することはできる。
【特許文献１】特開２００１−１５５３９３号公報
【発明の開示】
【発明が解決しようとする課題】
【０００４】
しかしながら、番組を録画予約するごとに毎回オフセット時間を推定して設定するのは煩雑である。また、全ての録画にオフセット時間を自動的に設定するようにした録画装置を実現することは可能であるが、ＣＭに係る情報を多く得ようとする使用者が存在する一方、可能な限りＣＭ部を記録したくないとする使用者も多く存在し、両者の意向を同時に満足させることはできない。
【０００５】
そこで、本発明は、上記のような問題点を解消するためになされたもので、通常の使用者に対しては特にオフセット時間を与える操作を行わせないようにする。ＣＭを積極的に録画しようとする使用者に対しては好適なオフセット時間の設定及び変更を容易に行えるようにする。即ち、ＣＭ情報を多く得ようとする使用者に対してのみ好適なオフセット時間の設定ができる受信番組録画装置を提供することを目的とする。
【課題を解決するための手段】
【０００６】
本願発明における第１の発明は、複数のコマーシャルを含むコマーシャル情報に引き続いて放送される主番組の予約を行って、前記主番組と共にコマーシャル情報を録画する受信番組録画装置において、前記主番組の録画開始時刻よりも所定時間だけ早い初期録画開始時刻を設定する録画時間初期設定手段と、前記初期録画設定開始時刻の設定後、予約確認画面で前記初期録画設定時刻の確認を行う予約画面確認手段と、前記所定時間が許容時間以上の場合には、番組表から得た情報により、前記予約確認画面に表示された前記初期録画開始時刻を前記コマーシャル情報のうちの録画したいコマーシャル番組の開始時刻に修正変更する設定時間修正手段と、を備えたことを特徴とする受信番組録画装置を提供する。
第２の発明は、主番組に引き続いて放送される複数のコマーシャルを含むコマーシャル情報の予約を行って、前記主番組と共にコマーシャル情報を録画する受信番組録画装置において、前記主番組の録画終了時刻よりも所定時間だけ遅い初期録画終了時刻を設定する録画時間初期設定手段と、前記初期録画設定終了時刻の設定後、予約確認画面で前記初期録画設定時刻の確認を行う予約画面確認手段と、前記所定時間が許容時間以上の場合には、番組表から得た情報により、前記予約確認画面に表示された前記初期録画終了時刻を前記コマーシャル情報のうちの録画したいコマーシャル番組の終了時刻に修正変更する設定時間修正手段と、を備えたことを特徴とする受信番組録画装置を提供する。
第３の発明は、複数のコマーシャルを含むコマーシャル情報に引き続いて放送される主番組の予約を行って、前記主番組と共にコマーシャル情報を録画する受信番組録画装置において、前記主番組の録画開始時刻よりも所定時間だけ早い初期録画開始時刻を設定する録画時間初期設定手段と、前記初期録画設定開始時刻の設定後、予約確認画面で前記初期録画設定時刻の確認を行う予約画面確認手段と、前記所定時間が許容時間未満の場合には、前記録画開始時刻から前記録画終了時刻までの録画を行わせ、前記所定時間が許容時間以上の場合で、かつ前記主番組の前に放送される主番組に含まれる音声モードと前記コマーシャル情報に含まれる音声モードとが異なる場合には、前記音声モードの異なりを検出することにより前記主番組の前に放送される主番組の終了時点から録画を開始させ録画終了時刻まで録画を行わせる録画時間制御手段と、を備えたことを特徴とする受信番組録画装置を提供する。
第４の発明は、主番組に引き続いて放送される複数のコマーシャルを含むコマーシャル情報の予約を行って、前記主番組と共にコマーシャル情報を録画する受信番組録画装置において、前記主番組の録画終了時刻よりも所定時間だけ遅い初期録画終了時刻を設定する録画時間初期設定手段と、前記初期録画設定終了時刻の設定後、予約確認画面で前記初期録画設定時刻の確認を行う予約画面確認手段と、前記所定時間が許容時間未満の場合には、前記録画開始時刻から前記録画終了時刻までの録画を行わせ、前記所定時間が許容時間以上の場合で、かつ前記主番組の後に放送される主番組に含まれる音声モードと前記コマーシャル情報に含まれる音声モードとが異なる場合には、前記録画開始時刻から録画を開始させると共に、前記音声モードの異なりを検出することにより前記主番組の後に放送される主番組の開始時点まで録画を行わせる録画時間制御手段と、を備えたことを特徴とする受信番組録画装置を提供する。
【発明の効果】
【０００７】
本願発明における第１の発明によれば、複数のコマーシャルを含むコマーシャル情報に引き続いて放送される主番組の予約を行って、前記主番組と共にコマーシャル情報を録画する受信番組録画装置において、前記主番組の録画開始時刻よりも所定時間だけ早い初期録画開始時刻を設定する録画時間初期設定手段と、前記初期録画設定開始時刻の設定後、予約確認画面で前記初期録画設定時刻の確認を行う予約画面確認手段と、前記所定時間が許容時間以上の場合には、番組表から得た情報により、前記予約確認画面に表示された前記初期録画開始時刻を前記コマーシャル情報のうちの録画したいコマーシャル番組の開始時刻に修正変更する設定時間修正手段と、を備えたので、ＣＭ情報を多く得ようとする使用者に対してのみ番組の開始前に受信されるＣＭ部を録画する好適なオフセット時間を設定する受信番組録画装置が実現できる。
本願発明における第２の発明によれば、主番組に引き続いて放送される複数のコマーシャルを含むコマーシャル情報の予約を行って、前記主番組と共にコマーシャル情報を録画する受信番組録画装置において、前記主番組の録画終了時刻よりも所定時間だけ遅い初期録画終了時刻を設定する録画時間初期設定手段と、前記初期録画設定終了時刻の設定後、予約確認画面で前記初期録画設定時刻の確認を行う予約画面確認手段と、前記所定時間が許容時間以上の場合には、番組表から得た情報により、前記予約確認画面に表示された前記初期録画終了時刻を前記コマーシャル情報のうちの録画したいコマーシャル番組の終了時刻に修正変更する設定時間修正手段と、を備えたので、ＣＭ情報を多く得ようとする使用者に対してのみ番組の終了後に受信されるＣＭ部を録画する好適なオフセット時間を設定する受信番組録画装置が実現できる。
本願発明における第３の発明によれば、複数のコマーシャルを含むコマーシャル情報に引き続いて放送される主番組の予約を行って、前記主番組と共にコマーシャル情報を録画する受信番組録画装置において、前記主番組の録画開始時刻よりも所定時間だけ早い初期録画開始時刻を設定する録画時間初期設定手段と、前記初期録画設定開始時刻の設定後、予約確認画面で前記初期録画設定時刻の確認を行う予約画面確認手段と、前記所定時間が許容時間未満の場合には、前記録画開始時刻から前記録画終了時刻までの録画を行わせ、前記所定時間が許容時間以上の場合で、かつ前記主番組の前に放送される主番組に含まれる音声モードと前記コマーシャル情報に含まれる音声モードとが異なる場合には、前記音声モードの異なりを検出することにより前記主番組の前に放送される主番組の終了時点から録画を開始させ録画終了時刻まで録画を行わせる録画時間制御手段と、を備えたので、ＣＭ情報を多く得ようとする使用者に対してのみ予約番組の手前に受信される主番組に続くＣＭ部を録画する受信番組録画装置が実現できる。
本願発明における第４の発明によれば、主番組に引き続いて放送される複数のコマーシャルを含むコマーシャル情報の予約を行って、前記主番組と共にコマーシャル情報を録画する受信番組録画装置において、前記主番組の録画終了時刻よりも所定時間だけ遅い初期録画終了時刻を設定する録画時間初期設定手段と、前記初期録画設定終了時刻の設定後、予約確認画面で前記初期録画設定時刻の確認を行う予約画面確認手段と、前記所定時間が許容時間未満の場合には、前記録画開始時刻から前記録画終了時刻までの録画を行わせ、前記所定時間が許容時間以上の場合で、かつ前記主番組の後に放送される主番組に含まれる音声モードと前記コマーシャル情報に含まれる音声モードとが異なる場合には、前記録画開始時刻から録画を開始させると共に、前記音声モードの異なりを検出することにより前記主番組の後に放送される主番組の開始時点まで録画を行わせる録画時間制御手段と、を備えたので、ＣＭ情報を多く得ようとする使用者に対してのみ予約番組の次に受信される主番組開始前までのＣＭ部を録画する受信番組録画装置が実現できる。
【発明を実施するための最良の形態】
【０００８】
以下に本発明の実施例に係る受信番組録画装置について図１〜図８を用いて説明する。
図１は、本発明の実施に係る受信番組録画装置の概略構成例を示したブロック図である。
図２は、本発明の実施に係る電子番組表の記述例を示した図である。
図３は、本発明の実施に係る受信番組の本編部とＣＭ部の時間関係を示した図である。
図４は、本発明の実施に係る録画予約の確認に係る表示画面例を示した図である。
図５は、本発明の実施に係る予約設定の表示画面例を示した図である。
図６は、本発明の実施に係る録画管理情報を例示した図である。
図７は、本発明の実施に係る受信番組録画装置の動作の前半部をフローチャートにより例示した図である。
図８は、本発明の実施に係る受信番組録画装置の動作の後半部をフローチャートにより例示した図である。
【０００９】
受信番組録画装置の構成について述べる。
図１に示す受信番組録画装置１は、アンテナの接続される放送受信部１１、受信された信号の処理を行う信号処理部２、及び信号処理された受信信号を記録するハードディスク１３より構成される。信号処理部２は、属性情報解析部２２１及び録画動作制御部２２２を実行させるＣＰＵ２２と、録画予約情報記憶部２３１及び装置設定情報記憶部２３２を記憶するＲＡＭ２３と、圧縮符号化部２４と、ハードディスク制御部２５と、復号化部２６と、映像合成部２７とよりなる。ＣＰＵ２２には録画予約及び予約された時刻を操作するための操作入力部が接続される。復号化部２６からは受信して得られる音声信号が出力される。映像合成部２７から映像信号が出力される。
【００１０】
受信番組録画装置１の動作について述べる。
まず、操作入力部が操作されて受信番組録画装置１の初期設定（標準動作状態設定）がなされる。初期設定は放送受信部１１が受信する受信チャンネルの設定、及び予約して録画する際の放送時刻に対する録画開始及び録画終了に関する拡張時間である。
通常の使用者は、録画開始及び終了時刻を番組表に記載される放送時刻の通りとするのに比し、ＣＭ情報を積極的に得ようとする使用者は録画開始時刻を数分早めたり、録画終了時刻を数分遅くなるようにオフセット時間を設定する。使用者により設定された初期設定の内容はＲＡＭ２３の装置設定情報記憶部２３２に格納される。オフセット時間が例えば２分以上として設定される場合には、使用者はＣＭ情報を録画しようとしているものとし、それ以降の録画予約動作はＣＭ部を積極的に録画するように録画開始、終了時刻を設定する。
【００１１】
ＣＭ情報を積極的に録画する場合について述べる。
Ｇコード、又は電子番組表が用いられ、操作入力部が操作されて録画予約されたときにＣＰＵ２２はオフセット時間を基に実際に録画のなされる時間を使用者に提示し、必要に応じて録画番組に対する個別のオフセット時間を設定し直す。ＣＰＵ２２で作成された提示すべきオフセット時間情報は映像合成部２７を介して図示しないモニタＴＶに供給されて表示される。ＣＰＵ２２は新たに設定された録画予約情報をＲＡＭ２３の録画予約情報記憶部２３１に記憶する。ＣＰＵ２２の録画動作制御部２２２は図示しないタイマーを監視する。装置設定情報記憶部２３２に記憶されるオフセット時間が例えば３分として初期設定されている場合に、録画動作制御部２２２は番組開始の４分前を検出し、放送受信部１１に対して目的のチャンネルの受信を開始させる。受信して得られた映像信号は圧縮符号化部２４で符号化され、圧縮符号化信号はハードディスク制御部２５に入力される。録画動作制御部２２２は番組開始の３分前を検出し、ハードディスク制御部２５に入力される信号をハードディスク１３に記録させる。録画終了時の動作は、終了時の時間として設定されるオフセット時間を経過したときに録画が停止される。
【００１２】
ハードディスク１３に記録された番組は操作部の図示しない再生ボタンを操作することにより再生される。再生して得られる圧縮符号化信号は復号化部２６で復号化され映像及び音声信号が得られる。映像信号は、映像合成部２７を介して図示しないモニタＴＶに供給されて表示される。ＣＭ情報の収集を希望する使用者は、番組の開始前や終了後に受信される多くのＣＭ部を視聴できる。
ここで、ＣＰＵ２２の属性情報解析部２２１は後述の受信中の番組は本編部であるか、又はＣＭ部であるかを解析するプログラム部分である。本編部の音声モードがモノラルモード、又は２カ国語モードである場合では、ＣＭ部はステレオモードで受信される。従って、音声モードを解析することにより録画番組の前の番組終了後に受信されるＣＭ部や、録画番組の次の本編部が開始されるまでのＣＭ部を録画する機能を実現できる。ディジタル放送受信における音声モードには２チャンネルステレオ、５．１チャンネルサラウンドステレオ、及び２カ国語音声モードがある。この場合も、本編部とＣＭ部とで音声モードが異なるモードのときには、その異なりを検出してＣＭ部をロックがする機能を実現できる。それらの場合では、録画予約毎のオフセット時間の変更に係る操作が不要である。
【００１３】
次に、ＣＭ情報を積極的に録画しない場合について述べる。通常の視聴者は必要以上にＣＭ情報の取得を希望しない。
装置設定情報記憶部２３２に記憶するオフセット時間はタイマーの時刻誤差により本編部の頭切れ、尻切れを防止するための１分程度が設定される。オフセット時間が２分未満の場合は録画予約毎にオフセット時間の変更に係る煩雑な操作を回避するため、個別のオフセット時間を設定するための表示、及びその操作要求を行わないものとする。
【００１４】
図２に示す電子番組表は、ディジタル放送の補助チャンネルで受信される番組表の例である。電子番組表はサービスプロバイダが公開するものをインターネットを介して取得してもよい。電子番組表を用いる場合の録画予約は、表に記述される時刻情報に従って、又は装置設定情報記憶部２３２に記憶されるオフセット時間を基に修正された時刻によりなされる。ここで、放送者Ｂの２１時から開始されるドラマを録画予約するに際し、その前に受信されるニュースの終了時点以降の番組を録画すると、より多くのＣＭ情報を得ることができる。
【００１５】
図３に、放送者Ｂの２０時５４分から開始されるニュース番組部分の内容を拡大して示す。番組３のニュースは番組提供者のＣＭ部、番組３の本編部、番組提供者のＣＭ部、及びスポットＣＭ部の順に受信される。ここで、番組３の本編部終了後からは多くのＣＭ部が受信される。特に、スポットＣＭは短期間に集中して受信されるため録画の機会が限定される。番組４のドラマを録画する際には番組３が終了する時点から録画を開始するようにするとスポットＣＭも録画できるため、ＣＭに係る情報を多く必要とする使用者にとって好適である。
【００１６】
図４に示す予約確認画面は、ドラマ○○○○を録画予約した際に表示される画面である。
予約確認画面の上部には、電子番組表に記述されるドラマ○○○○の録画開始日時、録画終了日時、放送者名、及び番組名が表示されている。予約確認画面の下部には、録画拡張として装置設定情報記憶部２３２に記憶される録画開始時のオフセット初期設定時間である３分が前拡張ありと共に表示される。実際の録画開始時刻は番組の開始時刻である２１：００から前拡張時間の３分を減じた２０：５７となる。この例の場合では、後拡張の初期設定がなされていないため、後拡張なしとし後拡張時間及び実際の録画終了時刻はブランクにより示されている。
使用者は、前拡張及び後拡張時間を変更するか、確定するか、または操作を保留するかを変更、確定、中止のそれぞれのボタンを操作して決定する。実際の操作は、図示しないリモコンの矢印キーを用いて「変更」、「確定」、「中止」ボタンの表示を反転させ、決定ボタンを押すことにより操作内容を入力する。
【００１７】
ドラマ○○○○の前に受信されるニュース番組の場合では、図３に示すように本編部終了後に提供ＣＭ及びスポットＣＭが受信されるため前拡張時間を大きく設定する。ドラマの後のミニ番組の最初の部分でもＣＭ部が受信されるため後拡張時間を設定する。
図５は、変更ボタンが押されて表示される予約設定画面である。予約設定は録画モードの外に録画拡張の入り切り、前拡張及び後拡張それぞれの入り切り、及び入りの場合には設定時間を図示しないリモコンの数字ボタンを用いて入力する。入力内容が良ければ「確定」、操作を中止するときは「中止」、装置の初期設定状態に戻すときには「標準に戻す」ボタンを操作する。ここでは、前拡張時間を４分に変更し、後拡張時間を入りで、その時間を２分に設定した場合の例を示している。
【００１８】
図６に示す録画管理情報には、録画予約した番組の受信に係る録画日、開始時刻、終了時刻、放送者、番組名、番組説明（解説）、番組のジャンル、出演者及び音声モードに係る情報が記述される。更に録画に係る録画モード、録画拡張の入り切り、前拡張時間（分）、前番組の本編部に係る音声モード、後拡張時間（分）、及び後番組の本編部に係る音声モードが記述される。
ここで、録画拡張が入りとされる場合であり、前番組の本編部音声モードがモノラル又は２カ国語とされるときには、受信される音声モードを検出することにより前番組の本編部終了時点を検出できる。録画動作制御部２２２は前番組が終了されるまで記録を待機させておき、音声モードがステレオに切りかえられた直後より録画を開始することにより前拡張時のＣＭ部の録画を効率的に行うことができる。後番組のＣＭ部についても同様に、音声モードがステレオ以外に切換えられる時点までのＣＭ部の録画を実行できる。
【００１９】
前拡張や後拡張録画される番組部分のＣＭ部と本編部の識別を音声モード以外の方法で行っても良い。本編部の音声モードがステレオである場合にはＣＭ部と本編部の識別ができない場合の解決方法である。番組と同時に受信される補助チャンネルの情報にＣＭ部に係る情報が含まれるときにはその情報を利用する。ＣＰＵ２２の属性情報解析部２２１では受信される番組が本偏部であるかＣＭ部であるかの解析を行う。その方法は、例えば字幕情報、番組紹介情報、出演者プロフィール情報などで本編部とＣＭ部とで異なる情報が受信されるときにはその情報の異なりを検出することによりＣＭ部を検出する。録画管理情報テーブルに記述される番組説明や出演者に係る情報は、受信される番組説明や出演者情報と比較し受信番組が本編部であるかＣＭ部であるかの解析のために用いる。その解析は、例えば情報に含まれる用語を比較して行う。
【００２０】
図７、及び図８に示すフローチャートを基に説明する。
まず、Ｓ（ステップ）７１で録画予約が設定されているかを検出する。録画予約が設定されているときにはＳ７２で録画前拡張が設定されているかを検出する。録画前拡張が設定されていない場合にはＳ７６で録画開始時刻の１分前に受信チャンネルを選局する。Ｓ７７で録画ポーズ状態で待機し、Ｓ７８で録画開始時刻に録画ポーズを解除し録画を開始する。Ｓ８４の終了時刻まで録画を継続する。
【００２１】
Ｓ７２で録画前拡張が設定されているとして検出される場合には、Ｓ７３で初期設定されている録画拡張開始時刻のさらに例えば５分前に録画する受信チャンネルを選局する。Ｓ７４でキャッシュ録画を開始する。そのキャッシュ録画とは、ハードディスク１３に例えば１時間の録画領域を設定し、その領域内で上書きするようにして記録を継続する録画である。視聴者は１時間以内であれば任意の記録した場所をアクセスして再生できる。いわゆる追っかけ再生も可能とする記録方式である。Ｓ７５で、音声モードを含む番組の属性情報を解析する。Ｓ７９で属性情報は１つ手前の番組の本編部であるか、又は本編部終了後のＣＭ部であるかを検出する。ＣＭ部でないとして検出される場合には録画開始時刻になるまでＣＭ部の検出を継続し、録画開始時刻が到来した場合にはＳ８３で予約録画を開始する。
【００２２】
Ｓ７９においてＣＭ部であるとして検出された場合にはＳ８１でキャッシュ録画を中止し、予約録画されたものとしてのＣＭ録画を開始する。仮に、ＣＭ部の受信検出に時間を要したときには次に受信されるＣＭの始まりの部分から録画を開始する。その手前のＣＭはキャッシュ領域に記録されているＣＭ部を予約番組録画領域の最初の部分にコピーする。又は、記録された部分が予約番組録画領域の最初の部分であるとするフラグを付してハードディスク１３に保存しておくようにしても良い。Ｓ８４で終了時刻まで録画を継続する。Ｓ８５で録画後拡張が設定されているかを検出する。録画後拡張が設定されていない場合はＳ８７で録画終了時刻を過ぎるとして検出されるまで録画を継続する。録画終了時刻が検出された場合はＳ８４で録画を停止する。
【００２３】
Ｓ８５で録画後拡張が設定されているとして検出される場合は、Ｓ８６において録画後拡張終了時刻が過ぎるとして検出されるまで録画を継続する。録画後拡張終了時刻が過ぎるとして検出された場合はＳ８８で属性情報が解析中であるかを検出し、解析中でないとして検出される場合はＳ８９でオーディオの信号モードを含めて補助チャンネルで受信される属性情報の解析を開始する。その解析はＳ９１で属性情報がＣＭ部でないとして検出されるまで継続され、ＣＭ部が終了したとして検出された時点でＳ９２の録画停止動作を行う。
【００２４】
以上、電子番組表を用いて録画予約及び録画拡張の操作を行い、又は本編部の前後で受信されるＣＭ部を検出し録画開始を早める又はＣＭ部が終了し次の本編部が開始されるまで録画を継続する方法について述べた。電子番組表による予約の他に、手入力により放送者及び録画日時を入力する方法、及びＧコード（Ｇコードは株式会社ジェムスタージャパン所有の登録商標である）を用いて録画予約する方法がある。いずれの方法においても録画拡張の設定を同様に行うことができる。
【００２５】
以上詳述したように、本発明の実施例によれば、ＣＭ情報を多く得ようとする使用者に対してのみ番組の開始前に受信されるＣＭ部を録画する好適なオフセット時間を設定する受信番組録画装置が実現できる。ＣＭ情報を多く得ようとする使用者に対してのみ番組の終了後に受信されるＣＭ部を録画する好適なオフセット時間を設定する受信番組録画装置が実現できる。ＣＭ情報を多く得ようとする使用者に対してのみ予約番組の手前に受信される本編部に続くＣＭ部を録画する受信番組録画装置が実現できる。ＣＭ情報を多く得ようとする使用者に対してのみ予約番組の次に受信される本編部開始前までのＣＭ部を録画する受信番組録画装置が実現できる。
【００２６】
さらに、予約した番組の手前に受信される番組の後半部分をキャッシュ録画により記録しておくことにより、本編部の終了時刻の解析を十分な時間をかけて行うことができる。本編部の終了個所が解析された後に、キャッシュ録画されているＣＭ部の映像を録画予約した番組の記録領域にコピーする、または記録領域に係るフラグを付け替えればよい。コピーする場合であり、且つ記録領域の手前の部分にコピーするための領域が不足する場合では、隣接する記録領域にコピーすると共にハードディスク１３の記録領域を管理するための図示しない領域管理テーブルに最初に再生すべき領域であることを記述する。ＣＭ部は３００ミリ秒の無音を設けて受信される。上記の隣接する領域に記録するＣＭ部の切換え個所は無音期間中に行う。
【００２７】
なお、ＣＰＵ２２に内蔵される属性情報解析部２２１及び録画動作制御部２２２は、受信番組録画装置の動作制御を行うプログラムソフトにより構成されている。また、ＲＡＭ２３に内蔵される録画予約情報記憶部２３１及び装置設定情報記憶部２３２は、ＲＡＭ２３内に設定される記憶領域である。それらの記憶部をハードディスク１３の所定の領域に設定する方法もある。内蔵される図示しない不揮発性メモリの所定領域に記憶するようにしても良い。
また、図１の圧縮符号化部２４に設けられる映像及び音声の入力端子は、外付けされるテレビチューナの信号を入力するための端子である。
さらに、ハードディスクを記録媒体として用いる受信番組録画装置について述べたが、記録媒体はＤＶＤ、光磁気ディスクなどのランダムアクセスが可能な媒体であれば良い。テープ状媒体を用いて実現する場合ではキャッシュ録画を利用する機能を除いて実現できる。
【産業上の利用可能性】
【００２８】
受信番組を予約して録画する記録装置に適用できる。
【図面の簡単な説明】
【００２９】
【図１】本発明の実施に係る受信番組録画装置の概略構成例を示したブロック図である。
【図２】本発明の実施に係る電子番組表の記述例を示した図である。
【図３】本発明の実施に係る受信番組の本編部とＣＭ部の時間関係を示した図である。
【図４】本発明の実施に係る録画予約の確認に係る表示画面例を示した図である。
【図５】本発明の実施に係る予約設定の表示画面例を示した図である。
【図６】本発明の実施に係る録画管理情報を例示した図である。
【図７】本発明の実施に係る受信番組録画装置の動作の前半部をフローチャートにより例示した図である。
【図８】本発明の実施に係る受信番組録画装置の動作の後半部をフローチャートにより例示した図である。
【符号の説明】
【００３０】
１    受信番組録画装置
２    信号処理部
１１    放送受信部
１３    ハードディスク
２２    ＣＰＵ
２３    ＲＡＭ
２４    圧縮符号化部
２５    ハードディスク制御部
２６    復号化部
２７    映像合成部
２２１    属性情報解析部
２２２    録画動作制御部
２３１    録画予約情報記憶部
２３２    装置設定情報記憶部
【図１】
2006033561.tif 000003
【図２】
2006033561.tif 000004
【図３】
2006033561.tif 000005
【図４】
2006033561.tif 000006
【図５】
2006033561.tif 000007
【図６】
2006033561.tif 000008
【図７】
2006033561.tif 000009
【図８】
2006033561.tif 000010